(57)【要約】ねじ部（２）とピン（４）とを有する基体を備える歯科インプラント（１）が開示されている。この歯科インプラントは歯のクラウンを載置するためのものであり、この歯科インプラントにおける基体は一体型とされている。本発明では、一体型の基体は、少なくとも大部分が、酸化ジルコニウム、あるいは、酸化ジルコニウムとアルミニウムとの混合物により構成されている。
2006524518.tif 000002
【特許請求の範囲】
【請求項１】
基体を備える歯科インプラント（１）であって、該基体は、顎骨に埋め込まれることで顎骨に組み込まれるねじ部（２）と、当該歯科インプラントが顎骨に組み込まれた後に歯肉から突出し歯科クラウンが載置可能なピン（４）とを備え、該基体が一体型である歯科インプラントであって、
前記一体型の基体は、その少なくとも大部分が、酸化ジルコニウム、あるいは、酸化ジルコニウムとアルミニウムとの混合物から構成されることを特徴とする歯科インプラント。
【請求項２】
具体的には襟型の形状を有する、外側に延出する中間部（３）が、前記ねじ部（２）と前記ピン（４）との間に備えられていることを特徴とする請求項１に記載の歯科インプラント。
【請求項３】
前記襟型の中間部の直径ｄtが、前記ねじ部（２）の外径ｄgよりも少なくとも１０％大きいことを特徴とする前述の請求項のいずれかに記載の歯科インプラント。
【請求項４】
前記ピン（４）が円錐状の部分を備えることを特徴とする前述の請求項のいずれかに記載の歯科インプラント。
【請求項５】
前記ピン（４）への移行部分が曲線状角部（１２）の形式で実現されていることを特徴とする前述の請求項のいずれかに記載の歯科インプラント。
【請求項６】
前記ピン（４）が、前記中間部（３）から延出する円錐状の部分を備えることを特徴とする請求項２ないし５のいずれかに記載の歯科インプラント。
【請求項７】
前記ピン（４）の端部が、挿入スクリュー器具が係合可能な構造（１６）であることを特徴とする前述の請求項のいずれかに記載の歯科インプラント。
【請求項８】
前記ねじ部（２）は、前記ピン（４）から離間した箇所に位置する基体の端部（６）まで延出するよう設けられていることを特徴とする前述の請求項のいずれかに記載の歯科インプラント。
【請求項９】
前記ねじ部は前記基体（２）の前記端部（６）において先細になっていることを特徴とする前述の請求項のいずれかに記載の歯科インプラント。
【請求項１０】
前記基体の前記端部（６）において、前記ねじ部（２）のねじ山（８）が、長手方向に延出している凹部（７）によって中断されていることを特徴とする前述の請求項のいずれかに記載の歯科インプラント。
【発明の詳細な説明】
【発明の詳細な説明】
【０００１】
本発明は、請求項１の導入部に記載の歯科インプラントに関する。
［背景技術］
歯科インプラントは、例えば硬質の歯科クラウン（歯冠）やブリッジを受けるため、あるいは取り外し可能義歯（可撤性義歯）を固定するための上部構造を受けるため、損失した歯の歯根の代替物として用いられる。
【０００２】
ガラスセラミックで構成され、歯根の代替物として使用される歯科インプラントは、ドイツ実用新案Ｇ９３０６７５８．５から公知のものとなっており、前記歯科インプラントは４つのパーツを有する基体を備える。２つのパーツは、骨に固定するために備えられており、そのうちの一つにねじ山がある。３つ目のパーツは、口腔粘膜の中に移行領域を構成する。４つ目のパーツは顎骨の外側に埋込まれた状態で配置され、歯の代替物として歯科クラウンあるいは歯系組織を載置するために用いられる。
【０００３】
チタン製のインプラントと比較して、ガラスセラミックには、インプラント後により良好に埋め込まれるといった利点がある。またガラスセラミックは、歯の色に作製することが可能である。そのため、クラウンおよび歯肉の下から歯科インプラントの暗色の外観が見えてしまうといったことはない。この歯科インプラントは一体構造であるため、歯肉の上部から突出している部分は、歯科インプラントが組み込まれた後にクラウンを取付けるのに比較的より良好な回転方向の安定性を有する。さらに、ガラスセラミックに対しては、インプラントされ埋め込まれた状態で、例えば研磨などが実施可能である。つまり、個々人の歯根の形を実現することが可能である。
【０００４】
しかし、ガラスセラミックの不利な点は、破砕に対しての安定性が不十分である場合があるということである。
［発明の目的および効果］
本発明の目的は、上述のガラスセラミックの利点に加え、特に改善された安定性を有する歯科インプラントを提供することである。
【０００５】
この目的は請求項１の特徴によって達成される。
本発明の有利で好ましい展開は従属項に開示されている。
本発明は、基体を備える歯科インプラントにかかる。基体は、顎骨に埋め込まれることで顎骨に組み込まれるねじ部と、顎骨に歯科インプラントが組み込まれた後に歯肉から突出し、二次構造（具体的には歯科クラウン、義歯、連結バーなど）を載置可能なピンとを備える。基体は一体型である。本発明の中核は、一体型の基体の少なくとも大部分が、場合によっては全体が、酸化ジルコニウム、あるいは、酸化ジルコニウムと酸化アルミニウムとの混合物で構成されるという点にある。歯の色に作製することが可能であるという点と、研磨が可能であるという点に加えて、酸化ジルコニウム、あるいは、酸化ジルコニウムと酸化アルミニウムとの混合物、は、比較的高い強度を有する。これらの材料で構成された歯科インプラントは、組み込んだ際の性質がガラスセラミックあるいはチタンの性質に少なくとも匹敵するということが判明している。酸化ジルコニウム（例えばＺｒＯ2）と酸化アルミニウム（例えばＡｌ2Ｏ3）との混合物において、酸化ジルコニウムの割合は例えば約７５％、酸化アルミニウムの割合は約２０％が好ましい。該混合物、あるいは主に酸化ジルコニウムを含む歯科インプラントにおいて、例えば酸化イットリウム（Ｙ2Ｏ2）などの、別の酸化物が約５％の割合で加えられると、さらに有利である。
【０００６】
本発明の特に好ましい実施例においては、ねじ部の直径よりも外側に延出している中間部が、ねじ部とピンとの間に配置される。中間部は襟型の形状にされるとよい。襟型であるということは、歯肉を貫通する歯科インプラントの部分の直径が実質的に増大し、歯科インプラントを従来の歯科インプラントと比較してより大きな表面積に渡って、歯肉の中および適切な場合には顎骨内に安定的に配置することが可能であるということである。このことにより、二次構造のクラウンを審美的および解剖学的に正確な形状にすることが可能となる。これは、二次構造のクラウンの直径がねじ部の直径を大幅に超過しているためである。加えて、インプラントの挿入時に、襟型の部分においてある種の圧縮が起こる。この圧縮によって、完全な密閉が実現され、上皮の増殖が防がれると共に、歯科インプラントと骨との間の連結不良も生じないようにされうる。また、このように径が拡大された部分によって歯科インプラントの破砕のリスクが減少する。
【０００７】
相当な支持作用を得るためには、襟型の中間部の直径は、基体のねじ部における直径よりも少なくとも１０％、より好ましくは４０％大きい方がよい。例えば、襟型の中間部の直径はねじ部の直径よりも約５０％大きくされる。
【０００８】
本発明の特に好ましい実施例において、ピンは円錐状の部分を備える。具体的には、ピンは、その長さの５０％よりも長い、大きな円錐状の部分を有するとよい。このことにより、クラウンが該円錐状の部分に押圧された時に、クランプ効果によってクラウンをより容易に歯根の上に安定した状態で固定することが可能となる。この効果は、特に、ピンが中間部の部分から円錐状に先細になっており、例えば、ピンの端部にのみ挿入スクリュー器具が係合可能な構造がある場合に得られる。好ましくは、ピンの端部のごく一部が六角形状に構成される。ただし、マイナスあるいはクロス（十字）の形状のスリット（ねじ穴）を設ける構造など、ピンの端部の構造としては多くの他の構造をとることが可能である。
【０００９】
ピンの円錐状あるいは先細の部分にはさらに重要な利点がある。通常、クラウンおよびブリッジの形状は、処置された歯根あるいは歯科インプラントの印象を患者からとることにより得られる。とられた印象は石膏模型の作製に用いられ、該石膏模型から適合する歯科クラウンあるいはブリッジが作製される。より最近の方法では、患者から同様に印象がとられるが、その後、レーザー走査が行われ、正確な適合品が決定される。歯科クラウンあるいはブリッジは、このレーザー走査で得られたデータを用いて、直接切削作製される。この工程は歯科用語でＣＡＤ／ＣＡＭ工程と呼ばれる。ＣＡＤはコンピュータ支援設計（computer-aided design）、ＣＡＭはコンピュータ支援製造（computer-aided manufacturing）を表す。この工程において、ブリッジおよびクラウンの全ての形状が現在の切削機で作製可能ではないということを念頭に置かなければならない。少なくとも実質的に円錐状のピンの場合は、クラウンあるいはブリッジにおける対応する窪みも同様に円錐状である。ＣＡＤ／ＣＡＭ工程において、このような形状は、特に側面の傾斜角４°以上の場合、支障なく作製することが可能である。
【００１０】
また、ピンへの移行部分、具体的には中間部分から延出する部分、が曲線状角部の形式で実現されていると特に有利である。鋭角な移行部分を避けることによって、荷重付加によるノッチ効果とそれに伴う材料の破砕の恐れをなくすことができる一方、現在のＣＡＤ／ＣＡＭ工程による適当なクラウンおよびブリッジの機械作製が可能となる。該曲線状角部は、具体的には０．４ｍｍ以上の半径を有することが好ましい。曲線状角部およびピンの前方には、長手軸に垂直なあるいは実質的に垂直な肩部（例えば、環状肩部）があり、該肩部は約０．４ｍｍ以上の幅を有する。さらに、複数の歯科インプラントを用いる場合、このようなタイプの肩部を採用することによりピンを研磨することなく隣接部（アバットメント）の相違を補整することが可能となる。
【００１１】
加えて、このようにして実現可能にされる厚みのあるクラウンエッジにより、二次構造のクラウンの安定性が大幅に増大する。このような肩部は、ＣＡＤ／ＣＡＭ工程においてスキャナを用いて、所要の精度で作製可能である。曲線状角部に続くピンが突出部なしに先細になっている場合は有利である。歯科インプラントの確定的で比較的単純なインプラントを実現するためには、ピンから離間した箇所に位置する基体の端部までねじ部を延出させることが提案される。この場合、ねじ部が、基体の端部において先細になっていること（例えば円錐状に先細になっていること）がさらに好ましい。この場合、歯科インプラントはドリルであけられた穴により良好に挿入可能となる。
【００１２】
さらに歯科インプラントの挿入を助長すべく、基体の端部において、ねじ部のねじ山が、長手方向に延出する凹部によって中断されることが提案される。断面図として見た場合に、ねじ部の端部において十字状の構造が得られるよう、該凹部は、ねじ部の表面における起点から基体の端部に至るまで凹部の深さが深くなっていくよう構成されていることが好ましい。インプラントを行う際、骨は該凹部に受け入れられる。これにより、骨がねじ部の他の部分による切削加工を妨げることはなくなる。従来のねじ切削と比較して、長手方向に延出する凹部は切削片を受け入れる溝のような役割を果たす。さらに、歯科インプラントが組み込まれた段階においては、この凹部に集約された骨は、歯科インプラントが緩まないように歯科インプラントを機械的に固定する。
［実施形態］
本発明の実施形態は図に示されており、更なる利点および特徴に関してより詳細に説明されている。
【００１３】
図１〜４において、ねじ部２と、中間部３と、ピン４とを備える歯科インプラント１が図示されている。ねじ部２、中間部３およびピン４は互いに同心円状に設けられ、実質的に回転対称である。ねじ部２は、ここでは例として１０ｍｍの、長さｌgを有する。ねじ部２は前面部分５において先細（テーパ状）にされることで、インプラントの時の挿入作業を助長する。
【００１４】
図４は、好ましいねじ山８の非テーパ部分の形状の拡大図を示している。このねじ山は、例えば０．６ｍｍのねじ高さｈを有する右切削ねじである。ねじ深さｔは０．３４ｍｍ、フランク角αは６０°である。ねじ山８は、末端において０．１８ｍｍのねじ幅ｂを有する台形ねじとして構成されている。
【００１５】
前面部分５において、ねじ部２の端部６に達する部分まで深化している凹部７（図２も参照）がねじ部２に備えられている。凹部７は断面で見ると弓型の形状を有する。縦断面図（図１参照）からわかるように、例えば３．３ｍｍの長さｌaに沿って、凹部７はねじ山８の外径から、この場合５ｍｍの半径ｒの曲線でねじ部２の材料へと達し、ねじ部２の端部６まで延出している。半径ｒの曲線は、ねじ部２の端部６の例えば１．２ｍｍの深さｔaを有する凹部に通じる。
【００１６】
該凹部はねじ部の直径ｄg（ｄgは例えば４ｍｍ）に渡っては延出していないが、側面図からわかるように、ねじ部２の半径よりも多少大きい、例えば２．１ｍｍの幅ｂaを有する。
【００１７】
ねじ部２は、襟（環状、カラー）型の拡大部分９を有する中間部３を介して、ピン４と一体化されている。襟型の拡大部分９は、この場合では例えばねじ山起点部８ａから、緩やかなＳ字カーブで直径ｄt（本実施例では６ｍｍ）になるまで外側に延出する。襟型の拡大部分９は、インプラント１の縦軸１０に対して垂直に延出する環状肩部１１を介して反対（内側）方向に延出しており、そして、例えば５．１２ｍｍの直径ｄaの部分からピン４の曲線状角部１２につながっている。ピン４は長さｌp（この場合例えば６．３ｍｍ）を有し、曲線状角部１２から、ピン４の端部１３から手前に所定距離（例えば１ｍｍ）の部分まで円錐状に先細になっている。この部分でピン４の直径はｄp（例えば３．４ｍｍ）に達する。ピン４の円錐角βは例えば５°である。
【００１８】
インプラント１をより良好に取り扱い、特にクラウンの回転ねじれ変形に対してクラウンをより確実に固定するために、ピン４は扁平面１４（図３も参照）を有する。この扁平面１４は、例えば錘形の端部１５から襟型の拡大部分９の方向にピン４の長さｌpまで、錘形の大部分にわたって延出しており、その延出した部分において、扁平面は例えば２ｍｍの幅ｂfを有する。
【００１９】
本実施例においては、顎骨に予めドリルであけられた穴に、歯科インプラント１が適当な挿入器具（ラチェットスクリュードライバ）によって挿入可能となるように、六角ねじ１６がピン４の錘形部分の端部１５に取り付けられている。
【００２０】
前面部分５におけるねじ山８の直径を減少させることと、切削された材料がドリルで開けられた穴と歯科インプラント１との間で強固に保持されるよう、切削片を受け入れるための溝のように形成された凹部７とによって、歯科インプラント１の挿入作業がより容易になっている。インプラント１は前端６に、凹部７によって設けられた十字のような形状（図２参照）を有する。この形状によっても顎骨に予めドリルであけられた穴への挿入がより容易になっている。ねじ山８はインプラント１の端部から距離ｌaの部分以降の箇所のみに形成されている。
【図面の簡単な説明】
【００２１】
【図１】歯科インプラントの側面図である。
【図２】図１の歯科インプラントの底面を示す図である。
【図３】図１における切断線ａaに沿った図１の歯科インプラントの断面図である。
【図４】図１の歯科インプラントのねじ部に設けられたねじ山の詳細図である。
【図１】
2006524518.tif 000003
【図２】
2006524518.tif 000004
【図３】
2006524518.tif 000005
【図４】
2006524518.tif 000006
【国際調査報告】
2006524518.tif 000007
2006524518.tif 000008
2006524518.tif 000009
2006524518.tif 000010
2006524518.tif 000011
2006524518.tif 000012